(57)【要約】【課題】プレス装置を用いることなく、ラック側板にラック側フック金具が締結された商品収納ラックを提供すること。【解決手段】商品を収納する商品収納通路が画成される一対のラック側板１２と、一対のラック側板１２に締結され、商品収容庫の天井に取り付けられた本体側フック金具９に吊り下げられた状態で取り付けられるラック側フック金具４０とを備えた商品収納ラックにおいて、ラック側フック金具４０はラック側板１２に挿通する挿通部４４を有し、挿通部４４がラック側板１２に挿通した状態でラック側板１２の一部５４を塑性変形させることにより、ラック側板１２にラック側フック金具４０が締結されるようにした。【選択図】        図６
2009009503.tif 000002
【特許請求の範囲】
【請求項１】
商品を収納する商品収納通路が画成される一対のラック側板と、前記一対のラック側板に締結され、商品収容庫の天井に取り付けられた本体側フック金具に吊り下げられた状態で取り付けられるラック側フック金具とを備えた商品収納ラックにおいて、
前記ラック側フック金具は前記ラック側板に挿通する挿通部を有し、該挿通部がラック側板に挿通した状態でラック側板の一部を塑性変形させることにより、ラック側板にラック側フック金具が締結されたことを特徴とする商品収納ラック。
【請求項２】
塑性変形させるラック側板の一部はラック側フック金具の挿通部が挿通する挿通穴の縁部であることを特徴とする請求項１に記載の商品収納ラック。
【請求項３】
前記ラック側フック金具はラック側板に係止される係止部を有し、該係止部がラック側板に係止された状態で、ラック側板にラック側フック金具が締結されたことを特徴とする請求項１に記載の商品収納ラック。
【発明の詳細な説明】
【技術分野】
【０００１】
本発明は、自動販売機の内部に画成された商品収容庫に収容される商品収納ラックに関するものである。
【背景技術】
【０００２】
缶入り飲料やビン入り飲料、あるいはペットボトル入り飲料等の商品を販売する自動販売機は、本体キャビネットの内部に複数の商品収容庫が画成されている。各商品収容庫には、商品収納ラックが吊り下げられた状態で収容されている。商品収納ラックは、一対のラック側板の間に湾曲形状をしたセグメントが互いに対向するように配設したものであって、一対のラック側板の間には、商品を収納する商品収納通路が蛇行するように画成されている。
【０００３】
一対のラック側板には、ラック側フック金具が取り付けてあり、商品収容庫の天井に取り付けられた本体フック金具に吊り下げられた状態で取り付けられるようになっている。ラック側フック金具は、一枚の鋼板を適宜加工したものであり、両端がそれぞれラック側板を貫通する、筒状に形成された係合部を有している。そして、ラック側板を貫通した係合部の両端を花弁状に開くことにより、ラック側フック金具がラック側板に締結されている。このように、両端がそれぞれラック側板を貫通する、筒状に形成された係合部を有するラック側フック金具を用いれば、係合部の両端を花弁状に開くことにより、ラック側フック金具がラック側板に締結されるので、ラック側フック金具とラック側板とを締結する締結部材（例えば、ネジ）を用いる必要がない（例えば、特許文献１参照）。
【０００４】
【特許文献１】特開２００４−３００６６号公報
【発明の開示】
【発明が解決しようとする課題】
【０００５】
しかしながら、ラック側フック金具は商品収納通路に商品を収納した状態で商品収納ラックを吊り下げる必要があるので、十分な厚みを有する鋼板で作成しなければならない。このため、ラック側フック金具の係合部を花弁状に開いてラック側板に締結する場合には、プレス装置によらなければならず、ラック側フック金具の係合部よりも大きな径を有する係合穴をラック側板に形成する必要があった。この結果、自動販売機の輸送時における振動、あるいは商品販売時の振動が作用した場合には、係合穴の周縁に不測の力が加わることになるので、ラック側板もこれらの力を加味して十分な厚みを有する鋼板で作成する必要があった。
【０００６】
本発明は、上記実情に鑑みて、プレス装置を用いることなく、ラック側板にラック側フック金具が締結された商品収納ラックを提供することを目的とする。
【課題を解決するための手段】
【０００７】
上記の目的を達成するために、本発明の請求項１に係る商品収納ラックは、商品を収納する商品収納通路が画成される一対のラック側板と、前記一対のラック側板に締結され、商品収容庫の天井に取り付けられた本体側フック金具に吊り下げられた状態で取り付けられるラック側フック金具とを備えた商品収納ラックにおいて、前記ラック側フック金具は前記ラック側板に挿通する挿通部を有し、該挿通部がラック側板に挿通した状態でラック側板の一部を塑性変形させることにより、ラック側板にラック側フック金具が締結されたことを特徴とする。
【０００８】
また、本発明の請求項２に係る商品収納ラックは、上記請求項１において、塑性変形させるラック側板の一部はラック側フック金具の挿通部が挿通する挿通穴の縁部であることを特徴とする。
【０００９】
また、本発明の請求項３に係る商品収納ラックは、上記請求項１において、前記ラック側フック金具はラック側板に係止される係止部を有し、該係止部がラック側板に係止された状態で、ラック側板にラック側フック金具が締結されたことを特徴とする。
【発明の効果】
【００１０】
本発明に係る商品収納ラックは、ラック側フック金具の挿通部がラック側板に挿通した状態でラック側板の一部を塑性変形させることにより、ラック側板にラック側フック金具が締結される。ここで、ラック側板の厚みが薄ければ、プレス装置を用いることなく、ラック側板の一部を塑性変形させることができ、ラック側板にラック側フック金具を締結することができる。
【発明を実施するための最良の形態】
【００１１】
以下に添付図面を参照して、本発明に係る商品収納ラックの好適な実施の形態を詳細に説明する。なお、この実施の形態によりこの発明が限定されるものではない。
【００１２】
（実施の形態１）
図１は本発明の実施の形態である商品収納ラックを内蔵した自動販売機を示す斜視図、図２は本発明の実施の形態である商品収納ラックの側断面図である。
【００１３】
本発明の実施の形態である商品収納ラックを内蔵した自動販売機は、缶入り飲料、ビン入り飲料、またはペットボトル入り飲料等を販売するものである。この自動販売機は、本体キャビネット１を備えている。本体キャビネット１は、複数の鋼材を適宜組み合わせることにより構成したもので、前面が開口した箱状を呈している。
【００１４】
本体キャビネット１の左側縁部には、外扉２と内扉３とが支承してある。この外扉２の前面には、缶入り飲料やペットボトル入り飲料等の商品の見本を展示するための展示室、商品を選択するための選択ボタン、貨幣を投入するための貨幣投入口、払い出された商品を取り出すための商品取出口等、商品の販売に必要となる構成が配設してある。内扉３は、断熱材によって構成したもので、本体キャビネット１の前面開口を開閉すべく、本体キャビネット１と外扉２との間に配設してある。
【００１５】
本体キャビネット１の内部は、仕切板４（床板）によって商品収容室５と機械室６とに画成されている。商品収容室５は、本体キャビネット１の内部上方に画成され、機械室６は、本体キャビネット１の内部下方に画成されている。
【００１６】
図１に示すように、商品収容室５は、さらに、二つの仕切板７によって三つの商品収容庫５ａ，５ｂ，５ｃに画成されている。これら三つの商品収容庫５ａ，５ｂ，５ｃは、本体キャビネット１の幅方向に並設される。以下の説明において、正面向かって左側となる商品収容庫を「左庫５ａ」、中央となる商品収容庫を「中庫５ｂ」、右側となる商品収容庫を「右庫５ｃ」と称する。
【００１７】
図１に示す自動販売機では、左庫５ａと右庫５ｃとには、本体キャビネット１の幅方向に二列の商品収納ラック１０が収容され、中庫５ｂには、本体キャビネット１の幅方向に一列の商品収納ラックが収容されている。
【００１８】
また、図２に示すように、左庫５ａ、中庫５ｂ、右庫５ｃには、前後方向に６列の商品収納通路を画成するように三つの商品収納ラック１０が収納されている。したがって、左庫５ａと右庫５ｃとにはそれぞれ１２種類の商品を収納することができ、中庫５ｂには６種類の商品を収納することができる。このため、この自動販売機は、３０種類の商品が収納でき、これらを要求に応じて販売することができるようになっている。
【００１９】
商品収容庫５ａ，５ｂ，５ｃの内部下方には、シュータ８が配設してある。シュータ８は、商品収納ラック１０から搬出された商品を商品取出口に搬出するためのもので、奥方から前方に向けて漸次低くなるように傾斜した状態で配設される板状部材である。したがって、商品収納ラック１０から搬出された商品は、シュータ８を転動又は滑走することにより商品取出口に搬出される。
【００２０】
商品収納ラック１０は、略円筒形（多角形のものも含む）で、かつ強度の高い容器に収容した商品の収納に適したサーペンタイン方式が採用されている。サーペンタイン方式の商品収納ラック１０は、横倒し姿勢で搬入された商品の勢いを消勢するとともに内部に商品を収納するものであり、図２に示すように、一対のラック側板１２の間に湾曲形状をしたセグメント１３が互いに対向するように配設することによって、商品収納通路１１が蛇行するように画成されている。したがって、商品収納通路１１に搬入された商品は、商品収納通路１１を通過する際の衝撃で容器が破損／変形することがない。なお、商品収納通路１１は、上端が商品の搬入口となり、下端が商品の搬出口となる。
【００２１】
商品収納通路１１の搬出口には、ベンドメック１４が取り付けてある。ベンドメック１４は、ペダル、ベンドソレノイド及びリンク機構により構成され、商品収納通路１１を通過して一番したまで到達した商品はベンドメック１４（ペダル）で留まり、次の商品はその上に積み上げられて商品収納通路１１内に次々と収納されることになる。
【００２２】
商品収納ラック１０は、商品収納通路１１ごとにトップトレイ３０を備えている。トップトレイ３０は、図２に示すように、自動販売機の前方から奥方の商品収納通路１１に商品を搬入するためのものである。トップトレイ３０は、自動販売機の前方から奥方（商品収納通路の搬入口）に向けて漸次低くなるように傾斜した状態で配設される板状部材である。
【００２３】
トップトレイ３０は、上下方向に並設され、上下方向に隣接したトップトレイ相互間に商品投入口が画成される。そして、商品投入口から横倒し姿勢で投入された商品は、トップトレイ３０を転動または滑走することにより、搬入口から商品収納通路１１に搬入されるようになっている。
【００２４】
このように構成した商品収納ラック１０は、ラック側フック金具４０によって、商品収容庫の天井に取り付けられた本体側フック金具９に吊り下げた状態で取り付けられている。本体側フック金具９は、一枚の鋼板を折り曲げたものであり、本体は略Ｌ字状の断面を有している。また、本体側フック金具９は、フック部を有している。フック部は、ラック側フック金具４０を吊り下げるための部分であって、鉤状を呈するように、本体から前方に延在した後に上方に延在するように折り曲げて形成してある（図６参照）。
【００２５】
次に、図３〜図６を参照して、本発明の実施の形態１である商品収納ラックのラック側フック金具とラック側板を説明する。図３〜図５は、本発明の実施の形態１である商品収納ラックのラック側フック金具とラック側板とを示した拡大斜視図であって、図３は組立前の状態、図４は組立後の状態、図５は締結後の状態を示したものである。また、図６は、本発明の実施の形態１である商品収納ラックを本体側フック金具に吊り下げた状態を示す拡大斜視図である。
【００２６】
図３に示すように、ラック側フック金具４０は、一枚の鋼板を折り曲げたものであり、本体４１は略Ｌ字状の断面を有している。この鋼板は、例えば、亜鉛メッキを施した特殊亜鉛鋼板と称されるものであって、１．２ミリメートルの厚みを有している。
【００２７】
ラック側フック金具４０は、フック部４２を有している。フック部４２は、商品収容庫の天井に取り付けられた本体側フック金具９に商品収納ラック１０を吊り下げるための部分であって、鉤状を呈するように、本体４１から後方に延在した後に下方に延在するように折り曲げて形成してある。
【００２８】
ラック側フック金具４０は、係合部４３を有している。係合部４３は、ラック側板１２を貫通し、ラック側板１２を支持するための部分であって、端部４３ａが本体４１の側縁から側方に突出し、かつ、上面側が丸まるように筒状に折り曲げて形成してある。
【００２９】
ラック側フック金具４０は、挿通部４４を有している。挿通部４４は、ラック側板１２に挿通した状態でラック側板１２の一部を折り曲げる（塑性変形させる）ことにより、ラック側板１２に締結される部分であり、本実施の形態１である商品収納ラックのラック側フック金具４０では、本体４１の側縁から側方に突出した後に後方に延在するように折り曲げて形成してある。
【００３０】
ラック側板１２には、係合穴５１、挿通穴５２が形成してある。係合穴５１は、上述した係合部４３の端部４３ａが貫通する穴であって、円形を呈している。挿通穴５２は、上述した挿通部４４が挿通する穴であって、挿通部４４が同時に挿通する大きさを有した矩形を呈している。
【００３１】
ラック側板１２の挿通穴５２の下方となる部分には、溝５３が形成してある。この溝５３は、挿通部４４が挿通穴５２に挿通した状態でラック側板１２の一部を折り曲げる（塑性変形させる）ことができるようになっている。
【００３２】
上述した本発明の実施の形態１である商品収納ラックは、図４に示すように、係合部４３の端部４３ａを係合穴５１に貫通させるとともに挿通部４４を挿通穴５２に挿通させた後に、図５に示すように、ラック側板１２の一部である挿通穴５２の縁部５４を折り曲げる（塑性変形させる）ことにより、ラック側板１２にラック側フック金具４０が締結される。そして、ラック側板１２に締結されたラック側フック金具４０は、図６に示すように、商品収容庫の天井に取り付けられた本体側フック金具９に吊り下げられた状態で取り付けられる。
【００３３】
ここで、ラック側板１２の厚みが薄ければ（例えば、０．４ミリ）、プレス装置を用いることなく、ラック側板１２の一部である挿通穴５２の縁部５４を折り曲げる（塑性変形させる）ことができ、ラック側板１２にラック側フック金具４０を締結することができる。
【００３４】
（実施の形態２）
次に、図７〜図１０を参照して、本発明の実施の形態２である商品収納ラックを説明する。なお、ラック側フック金具とラック側板を除いて、実施の形態１である商品収納ラックと異なるところはないので、ラック側フック金具とラック側板について説明し、他の説明を省略する。図７〜図９は、本発明の実施の形態２である商品収納ラックのラック側フック金具とラック側板とを示した拡大斜視図であって、図７は組立前の状態、図８は組立後の状態、図９は締結後の状態を示したものである。また、図１０は、本発明の実施の形態２である商品収納ラックを本体側フック金具に吊り下げた状態を示す拡大斜視図である。
【００３５】
図７に示すように、ラック側フック金具６０は、一枚の鋼板を折り曲げたものであり、本体６１は略Ｌ字状の断面を有している。この鋼板は、例えば、亜鉛メッキを施した特殊亜鉛鋼板と称されるものであって、１．２ミリメートルの厚みを有している。
【００３６】
ラック側フック金具６０は、フック部６２を有している。フック部６２は、商品収容庫の天井に取り付けられた本体側フック金具９に商品収納ラック１０を吊り下げるための部分であって、鉤状を呈するように、本体６１から後方に延在した後に下方に延在するように折り曲げて形成してある。
【００３７】
ラック側フック金具６０は、係合部６３を有している。係合部６３は、ラック側板１２を貫通し、ラック側板１２を支持するための部分であって、端部６３ａが側方に突出し、かつ、上面側が丸まるように筒状に折り曲げて形成してある。
【００３８】
ラック側フック金具６０は、支持部６４を有している。支持部６４は、本体６１の起立した部分から前方に延在するように折り曲げて形成した部分であり、係合部６３の端部６３ａが貫通するように形成してある。
【００３９】
ラック側フック金具６０は、挿通部６５を有している。挿通部６５は、ラック側板１２に挿通した状態でラック側板１２の一部を折り曲げる（塑性変形させる）ことにより、ラック側板１２に締結される部分であり、本実施の形態２である商品収納ラックのラック側フック金具６０では、支持部６４の上縁から側方に突出するように折り曲げて形成してある。
【００４０】
ラック側板１２には、係合穴７１、挿通穴７２が形成してある。係合穴７１は、上述した係合部６３の端部６３ａが貫通する穴であって、円形を呈している。挿通穴７２は、上述した挿通部６５が挿通する穴であって、挿通部６５が同時に挿通する大きさを有した矩形を呈している。
【００４１】
また、挿通穴７２が形成された部分は、ラック側板１２の上縁から延在しており、この部分は、挿通部６５が挿通穴７２に挿通した状態で折り曲げる（塑性変形させる）ことができるようになっている。
【００４２】
上述した本発明の実施の形態２である商品収納ラックは、図８に示すように、係合部６３の端部６３ａを係合穴７１に貫通させるとともに挿通部６５を挿通穴７２に挿通させた後に、図９に示すように、ラック側板１２の一部である挿通穴７２の縁部７３を折り曲げる（塑性変形させる）ことにより、ラック側板１２にラック側フック金具６０が締結される。そして、ラック側板１２に締結されたラック側フック金具６０は、図１０に示すように、商品収容庫の天井に取り付けられた本体側フック金具９に吊り下げられた状態で取り付けられる。
【００４３】
ここで、ラック側板１２の厚みが薄ければ（例えば、０．４ミリ）、プレス装置を用いることなく、ラック側板１２の一部である挿通穴７２の縁部７３を折り曲げる（塑性変形させる）ことができ、ラック側板１２にラック側フック金具６０を締結することができる。
【００４４】
（実施の形態３）
次に、図１１〜図１５を参照して、本発明の実施の形態３である商品収納ラックを説明する。なお、ラック側フック金具とラック側板を除いて、実施の形態１である商品収納ラックと異なるところはないので、ラック側フック金具とラック側板について説明し、他の説明を省略する。図１１〜図１４は、本発明の実施の形態３である商品収納ラックのラック側フック金具とラック側板とを示した図であって、図１１は組立前の状態、図１２は組立手順、図１３は組立後の状態、図１４は締結後の状態を示したものである。また、図１５は、本発明の実施の形態３である商品収納ラックを本体側フック金具に吊り下げた状態を示す拡大斜視図である。
【００４５】
図１１に示すように、ラック側フック金具８０は、一枚の鋼板を折り曲げたものであり、本体８１は略Ｌ字状の断面を呈している。この鋼板は、例えば、亜鉛メッキを施した特殊亜鉛鋼板と称されるものであって、１．２ミリメートルの厚みを有している。
【００４６】
ラック側フック金具８０は、フック部８２を有している。フック部８２は、商品収容庫の天井に取り付けられた本体側フック金具９に商品収納ラック１０を吊り下げるための部分であって、鉤状を呈するように、本体８１から後方に延在した後に下方に延在するように折り曲げて形成してある。
【００４７】
ラック側フック金具８０は、係合部８３を有している。係合部８３は、ラック側板１２を貫通し、ラック側板１２を支持するための部分であって、端部８３ａが側方に突出し、かつ、上面側が丸まるように筒状に折り曲げて形成してある。
【００４８】
ラック側フック金具８０は、支持部８４を有している。支持部８４は、本体８１の起立した部分から前方に延在するように折り曲げて形成した部分であり、係合部６３の端部６３ａと干渉することがないように形成してある。
【００４９】
ラック側フック金具８０は、挿通部８５を有している。挿通部８５は、ラック側板１２に挿通した状態でラック側板１２の一部を折り曲げる（塑性変形させる）ことにより、ラック側板１２に締結される部分であり、本発明の実施の形態３である商品収納ラックのラック側フック金具８０では、支持部８４の前部下縁から側方に延在した後に下方に延在するように折り曲げて形成してある。
【００５０】
ラック側フック金具８０は、係止部８６を有している。係止部８６は、ラック側板１２に係止される部分であり、本発明の実施の形態３である商品収納ラックのラック側フック金具８０では、支持部８４の前部上縁から下方に折り返すことにより形成してある。
【００５１】
ラック側板１２には、係合穴９１、挿通穴９２が形成してある。係合穴９１は、上述した係合部８３の端部８３ａが貫通する穴であって、円形を呈している。挿通穴９２は、図１２に示すように、ラック側フック金具８０を傾けた状態で挿通部８５が挿通し、その後、ラック側フック金具８０を回動させた状態で挿通部８５が係合する穴であって、弧状を呈している。
【００５２】
また、ラック側板１２の一部９３は上縁から延在しており、この部分は、挿通部８５が挿通穴９２に挿通し、係止部８６がラック側板１２の上縁に係止された状態で折り曲げる（塑性変形させる）ことができるようになっている。
【００５３】
上述した本発明の実施の形態３である商品収納ラックは、図１２に示すように、ラック側フック金具８０を傾けた状態で係合部８３の端部８３ａを係合穴９１に貫通させるとともに挿通部８５を挿通穴９２に挿通させた後に、ラック側フック金具８０を回動させることにより、図１３に示すように、挿通部８５を挿通穴９２の縁部に係合させるとともに係止部８６をラック側板１２の上縁に係止させる。その後、図１４に示すように、ラック側板１２の上縁から延在した一部９３を折り曲げる（塑性変形させる）ことにより、ラック側板１２にラック側フック金具８０が締結される。そして、ラック側板１２に締結されたラック側フック金具８０は、図１５に示すように、商品収容庫の天井に取り付けられた本体側フック金具９に吊り下げられた状態で取り付けられる。
【００５４】
ここで、ラック側板１２の厚みが薄ければ（例えば、０．４ミリ）、プレス装置を用いることなく、ラック側板１２の一部９３を折り曲げる（塑性変形させる）ことにより、ラック側板１２にラック側フック金具８０を取り付けることができる。
【図面の簡単な説明】
【００５５】
【図１】本発明の実施の形態である商品収納ラックを内蔵した自動販売機を示す斜視図である。
【図２】本発明の実施の形態である商品収納ラックの側断面図である。
【図３】本発明の実施の形態１である商品収納ラックのラック側フック金具とラック側板とを示した拡大斜視図であって、組立前の状態を示したものである。
【図４】本発明の実施の形態１である商品収納ラックのラック側フック金具とラック側板とを示した拡大斜視図であって、組立後の状態を示したものである。
【図５】本発明の実施の形態１である商品収納ラックのラック側フック金具とラック側板とを示した拡大斜視図であって、締結した状態を示したものである。
【図６】本発明の実施の形態１である商品収納ラックを本体側フック金具に吊り下げた状態を示す拡大斜視図である。
【図７】本発明の実施の形態２である商品収納ラックのラック側フック金具とラック側板とを示した拡大斜視図であって、組立前の状態を示したものである。
【図８】本発明の実施の形態２である商品収納ラックのラック側フック金具とラック側板とを示した拡大斜視図であって、組立後の状態を示したものである。
【図９】本発明の実施の形態２である商品収納ラックのラック側フック金具とラック側板とを示した拡大斜視図であって、締結した状態を示したものである。
【図１０】本発明の実施の形態２である商品収納ラックを本体側フック金具に吊り下げた状態を示す拡大斜視図である。
【図１１】本発明の実施の形態３である商品収納ラックのラック側フック金具とラック側板とを示した拡大斜視図であって、組立前の状態を示したものである。
【図１２】本発明の実施の形態３である商品収納ラックのラック側フック金具とラック側板とを示した図であって、組立手順を示したものである。
【図１３】本発明の実施の形態３である商品収納ラックのラック側フック金具とラック側板とを示した拡大斜視図であって、組立後の状態を示したものである。
【図１４】本発明の実施の形態３である商品収納ラックのラック側フック金具とラック側板とを示した拡大斜視図であって、締結した状態を示したものである。
【図１５】本発明の実施の形態３である商品収納ラックを本体側フック金具に吊り下げた状態を示す拡大斜視図である。
【符号の説明】
【００５６】
１    本体キャビネット
５ａ    左庫（商品収容庫）
５ｂ    中庫（商品収容庫）
５ｃ    右庫（商品収容庫）
９    本体側フック金具
１０    商品収納ラック
１１    商品収納通路
１２    ラック側板
１３    セグメント
４０    ラック側フック金具
４１    本体
４２    フック部
４３    係合部
４４    挿通部
５１    係合穴
５２    挿通穴
５３    溝
６０    ラック側フック金具
６１    本体
６２    フック部
６３    係合部
６４    支持部
６５    挿通部
７１    係合穴
７２    挿通穴
８０    ラック側フック金具
８１    本体
８２    フック部
８３    係合部
８４    支持部
８５    挿通部
８６    係止部
９１    係合穴
９２    挿通穴
【図１】
2009009503.tif 000003
【図２】
2009009503.tif 000004
【図３】
2009009503.tif 000005
【図４】
2009009503.tif 000006
【図５】
2009009503.tif 000007
【図６】
2009009503.tif 000008
【図７】
2009009503.tif 000009
【図８】
2009009503.tif 000010
【図９】
2009009503.tif 000011
【図１０】
2009009503.tif 000012
【図１１】
2009009503.tif 000013
【図１２】
2009009503.tif 000014
【図１３】
2009009503.tif 000015
【図１４】
2009009503.tif 000016
【図１５】
2009009503.tif 000017